(57)【要約】【課題】物理ネットワーク構成に依存しない情報を元に論理回線の監視構成をダイナミックに変更を可能とし、全論理回路の状態監視を可能にする大規模ネットワーク監視方法を提供する。【解決手段】  複数ネットワークエレメントをグループ単位に分割し、その中の１つの前記ネットワークエレメントを代表に設定し、ネットワーク監視装置より前記代表のネットワークエレメントにアクセスして当該ネットワークエレメントから全てのネットワークエレメントとの論理回線状態を取得し、取得した前記論理回線状態のすべての情報で、異常と正常が混在するか、全て異常か、全て正常かを判定し、以上を繰り返し実施して前記ネットワークエレメントの全ての論理回線の状態を判断する。【選択図】図５
2010258614.tif 000002
【特許請求の範囲】
【請求項１】
複数ノードをグループ単位に分割し、その中の１つの前記ノードを代表に設定する第１ステップと、
ネットワーク監視装置より前記代表のノードにアクセスして当該ノードから全てのノードとの論理回線状態を取得する第２ステップと、
第２ステップで取得された回線状態が異常と正常が混在する場合は、ネットワーク監視装置から直接異常となったノードにアクセスして論理回線情報を取得し、前記ネットワーク監視装置から直接該当ノードにアクセスできない場合は、他のノードを経由して該当ノードの論理回線状態を収集する第３ステップと、
前記全て異常の場合は、該当ノードに接続する全ての論理回線は異常と判定する第４ステップと、
前記全て正常の場合は、該当ノードに接続する全ての論理回線は正常と判定する第５ステップと、
以下前記第３ステップ乃至前記第５ステップを繰り返し実施して前記ノードの全ての論理回線の状態を判断するステップと、
を有することを特徴とする大規模ネットワーク監視方法。
【請求項２】
請求項１記載の大規模ネットワーク監視方法において、
前記第３ステップにて、前記異常と正常が混在する場合は、ネットワーク監視装置から直接該当ノードにアクセスして論理回線情報を取得し、前記ネットワーク監視装置から直接該当ノードにアクセスできない場合は、前記代表に設定され、全て正常と判定された前記ノードを経由して該当ノードの論理回線状態を収集することを特徴とする大規模ネットワーク監視方法。      
【請求項３】
複数ノードをグループ単位に分割し、その中の１つの前記ノードを代表に設定する第１ステップと、
ネットワーク監視装置より前記優先度１のノードにアクセスして当該ノードから全てのノードとの論理回線障害回数を取得する第２ステップと、
取得した前記論理回線障害回数値の大小に応じて、品質レベルのグループ単位を小規模単位から大規模単位までにグループを組み直す第３ステップと、
複数の前記ノードを前記小規模単位から前記大規模単位に組み直した新しいグループの中の１つを代表に設定する第４ステップと、
ネットワーク監視装置より前記代表のノードにアクセスして当該ノードから全てのノードとの論理回線状態を取得する第５ステップと、
第５ステップで取得された回線状態が異常と正常が混在する場合は、ネットワーク監視装置から直接該当ノードにアクセスして論理回線情報を取得し、前記ネットワーク監視装置から直接該当ノードにアクセスできない場合は、他のノードを経由して該当ノードの論理回線状態を収集する第６ステップと、
前記全て異常の場合は、該当ノードに接続する全ての論理回線は異常と判定する第７ステップと、
前記全て正常の場合は、該当ノードに接続する全ての論理回線は正常と判定する第８ステップと、
以下前記第６ステップ乃至前記第８ステップを繰り返し実施して前記ノードの全ての論理回線の状態を判断する第９ステップと、
を有することを特徴とする大規模ネットワーク監視方法。
【請求項４】
請求項３記載の大規模ネットワーク監視方法において、
前記第６ステップにて、前記異常と正常が混在する場合は、ネットワーク監視装置から直接該当ノードにアクセスして論理回線情報を取得し、前記ネットワーク監視装置から直接該当ノードにアクセスできない場合は、前記代表に設定され、全て正常と判定された前記ノードを経由して該当ノードの論理回線状態を収集することを特徴とする大規模ネットワーク監視方法。
【請求項５】
請求項３記載の大規模ネットワーク監視方法において、
前記第３ステップの品質レベルは、前記論理回線障害回数値に一定の閾値を設け、取得した前記論理回線障害回数数値が前記閾値との比較により決定し、品質レベルの優劣に応じてグループ単位の規模を大規模から小規模に振り分けることを特徴とする大規模ネットワーク監視方法。
【発明の詳細な説明】
【技術分野】
【０００１】
本発明は、大規模ネットワーク監視方法に関し、特に、広域イーサネット（登録商標）等の通信キャリアの提供するネットワーク上で構築したプライベートネットワークの論理回線の状態監視を行うのに用いると好適である。
【背景技術】
【０００２】
従来のネットワーク監視では、利用者自身がネットワーク網を構成し、構成するネットワーク網構成を監視することが前提となっており、そのため、ネットワーク監視装置（ＮＭＳ：Network Management System）で網内の各ルータ（Ｒ：Router）の生死監視を行うことで、各ノード間の通信状況も把握することができた。
【０００３】
図１２は、通常のネットワーク監視モデルの接続構成図である。ここで、ＮＭＳ１、ネットワーク２、及び各ノード１（３１）〜ノードＮ（３Ｎ）は全てキャリア網内であり、利用者自身がＮＭＳ１を用いて、ネットワーク２内の被監視装置であるルータ（Ｒ１〜Ｒ９）の監視を行う。例えば、ＮＭＳ１から見てキャリアが提供するネットワーク網内のＲ４がダウンしていれば、ノード２（３２）とノード３（３３）の間の通信は不可と判断できる。
【０００４】
本発明が対象とするネットワークモデルは、ネットワークはキャリアの提供であり、利用者にはネットワーク（キャリア網）内部の機器も接続構成も分からない状態となっている。利用者の各ノード間は、キャリア網を通した仮想閉域網（ＶＰＮ：Virtual Private Network）技術等の論理回線を設定することで、ノード間でのセキュアな通信を行っている。
【０００５】
図１３は、本発明が対象とするネットワーク論理回線の状態監視モデルの接続構成図である。
【０００６】
ＮＭＳ１としては、利用者の各ノード１（３１）〜ノードＮ（３Ｎ）の生死監視と共に、ノード１（３１）〜ノードＮ（３Ｎ）間の通信、例えばノード１（３１）とノード２（３２）の通信等)が正常であるかの監視も行う必要がある。
【０００７】
しかし、通常のネットワーク監視のようにネットワーク内の構成が利用者側であるＮＭＳ１では分からないため、従来のやり方（ネットワーク内のどこのネットワーク機器が故障かを見ることで、ノード１（３１）〜ノードＮ（３Ｎ）間のどこの通信に影響するかを判断するやり方)は使えない。
【０００８】
このため、ノード１（３１）〜ノードＮ（３Ｎ）間の通信の監視のために、論理回線の状態を監視し、論理回線がダウンしたらその論理回線で接続されるノード１（３１）〜ノードＮ（３Ｎ）間の通信はダウンしていると判断する必要がある。この場合でも、ＮＭＳ１とノード１（３１）〜ノードＮ（３Ｎ）間の論理回線が生きていれば、ノード１（３１）〜ノードＮ（３Ｎ）へのピング（ping）監視等は正常になるため、ノード１（３１）〜ノードＮ（３Ｎ）の生死監視でこれを代用することは出来ない。
【０００９】
上記を踏まえた上で、論理回線は、１対１で設定する必要があるため、利用者の全てのノード１（３１）〜ノードＮ（３Ｎ）間で通信するためには、全てのノード間にメッシュ状に論理回線を設定する必要がある。
【００１０】
このため、全国規模の大規模な利用者ネットワークになると、論理回線は非常に大量の本数になる。ＮＭＳ１でこれを監視するためには、全てのノード１（３１）〜ノードＮ（３Ｎ）にアクセスし、全ての論理回線の状態を取得する必要がある。このため、非常に大量なデータ量、大量なトラフィックが、監視のために必要となる。
【００１１】
図１４は、図１３における論理回線の監視状態を示す説明図である。同図に示すように、論理回線の状態監視には、数万ノードにアクセスして、数万×数万の状態のデータ収集が必要である。但し、ネットワーク機器の生死監視に対しては、実際の物理的ネットワーク構成に合わせたグループ分けを実施し、親ノードに対してのみの監視または１つの機器のみの監視などの方法で対応が可能であるが、論理回線の監視については、一般的に公開されていないキャリア網内の構成情報に依存されるため、物理的なネットワーク構成に合わせたグルーピングや親ノードの設定を行うことができない。
【００１２】
図１５は、公開されていないキャリア網内の各端末ノード間の通信状況を示す中継接続図である。図１５に示すように、キャリア網内の構成情報は公開されておらず、また、キャリア網内の構成については、トレースルートコマンドなどにより一時的な状態であり、キャリア側の都合にて変更されることがあり、ネットワーク機器の構成が保証されない。
【００１３】
階層化されたデータ処理装置の状態監視方式として、例えば、優先順ごとの監視対象部の階層化された監視を行う監視部を有し、監視対象部の監視の優先度を高めて監視する内容が開示されている。（例えば、特許文献１参照）。
【００１４】
ネットワーク構成要素をマップ表示・管理するネットワーク管理システムとして、パラメータ種別の同一性を判断する事により、構成要素をグループ化し、階層マップを生成し、自動レイアウトする内容が開示されている。（例えば、特許文献２参照）。
【先行技術文献】
【特許文献】
【００１５】
【特許文献１】特開平０８−２６５３９５号公報
【特許文献２】特開平０７−３１２５９６号公報
【発明の概要】
【発明が解決しようとする課題】
【００１６】
広域インサーネット等の通信キャリアの提供するネットワーク上で、仮想閉域網（ＶＰＮ）などの技術を使用して構築した大規模プライベートネットワークにおいて、ネットワーク監視システム（ＮＭＳ）によってネットワーク機器の生死監視と、論理回線の監視を行うには、ネットワークがキャリアの提供であるため、利用者（ＮＭＳ）にはネットワーク内部の機器も接続構成も分からない状態であり、従来技術の延長線上の技術では解決できない。
【００１７】
特許文献１では、上位から下位へと階層化されて設けられた複数の監視対象部を備えるデータ処理装置の状態監視方式であって、監視対象部の優先順を単に設けただけで、優先度に対する障害時の対応についての発明ではない。
【００１８】
特許文献２では、ネットワーク管理システムで、構成要素をグループ化してカスタマイズ化された監視用ネットワークマップであり、優先度に対する障害時の対応についての発明ではない。
【００１９】
本発明の目的は、
(１). 物理ネットワーク構成に依存しない情報（発生警報件数）を元に全てのノードに
アクセスせずに一部のノードにアクセスすることで、全論理回路の状態監視を可能にする大規模ネットワーク監視方法を提供する。
(２). 論理回線の監視構成をダイナミックに変更を可能とする大規模プライベートネッ
トワーク監視方法を提供する。
【課題を解決するための手段】
【００２０】
上記課題を解決するための第１の発明は、複数ノードをグループ単位に分割し、その中の１つの前記ノードを代表に設定する第１ステップと、ネットワーク監視装置より前記代表のノードにアクセスして当該ノードから全てのノードとの論理回線状態を取得する第２ステップと、第２ステップで取得された回線状態が異常と正常が混在する場合は、ネットワーク監視装置から直接異常となったノードにアクセスして論理回線情報を取得し、前記ネットワーク監視装置から直接該当ノードにアクセスできない場合は、他のノードを経由して該当ノードの論理回線状態を収集する第３ステップと、前記全て異常の場合は、該当ノードに接続する全ての論理回線は異常と判定する第４ステップと、前記全て正常の場合は、該当ノードに接続する全ての論理回線は正常と判定する第５ステップと、以下前記第３ステップ乃至前記第５ステップを繰り返し実施して前記ノードの全ての論理回線の状態を判断するステップとを含んでいる。
【００２１】
この第１の発明によれば、大規模プライベートネットワークの状態監視を全てのノードにアクセスせず、一部のノードにアクセスすることで、全論理回線の状態監視を可能にすることができる。
【００２２】
第２の発明は、複数ノードをグループ単位に分割し、その中の１つの前記ノードを代表に設定する第１ステップと、ネットワーク監視装置より前記代表のノードにアクセスして当該ノードから全てのノードとの論理回線状態を取得する第２ステップと、第２ステップで取得された回線状態が異常と正常が混在する場合は、ネットワーク監視装置から直接異常となったノードにアクセスして論理回線情報を取得し、前記ネットワーク監視装置から直接該当ノードにアクセスできない場合は、他のノードを経由して該当ノードの論理回線状態を収集する第３ステップと、前記全て異常の場合は、該当ノードに接続する全ての論理回線は異常と判定する第４ステップと、前記全て正常の場合は、該当ノードに接続する全ての論理回線は正常と判定する第５ステップと、以下前記第３ステップ乃至前記第５ステップを繰り返し実施して前記ノードの全ての論理回線の状態を判断するステップとを含んでいる。
【００２３】
この第２の発明によれば、優先度のつけ方によりアクセス対象とならなかったノード間の論理回線の障害検知について、１時間に１回など長い間隔にて過去のノード間での論理回線障害回数を全ノードから収集し、品質レベルに合わせた優先度の設定を実施できる。
【発明の効果】
【００２４】
以上、開示の技術によれば、大規模ネットワークの状態監視を全てのノードにアクセスせず、一部のノードにアクセスすることで、全論理回線の状態監視を可能にすることができる。また、ネットワーク機器の生死監視の判定を行うことができる。
【図面の簡単な説明】
【００２５】
【図１】本願発明の一実施形態におけるネットワークの監視方法を示す説明図（その１）である。
【図２】本願発明の一実施形態におけるネットワークの監視方法を示す説明図（その２）である。
【図３】本願発明の一実施形態におけるネットワークの監視方法を示す説明図（その３）である。
【図４】本願発明の一実施形態におけるネットワークの監視方法を示す説明図（その４）である。
【図５】本発明の一実施形態における論理回線の状態監視のフローチャートである。
【図６】本願発明の一実施形態における論理回線の優先度設定方法を示す説明図（その１）である。
【図７】本願発明の一実施形態における論理回線の優先度設定方法を示す説明図（その２）である。
【図８】本願発明の一実施形態における論理回線の優先度設定方法を示す説明図（その３）である。
【図９】本願発明の一実施形態における論理回線の優先度設定方法を示す説明図（その４）である。
【図１０】本願発明の一実施形態における論理回線の優先度設定方法を示す説明図（その５）である。
【図１１】本願発明の一実施形態における論理回線の優先度設定方法のフローチャートである。
【図１２】通常のネットワーク監視モデルの接続構成図である。
【図１３】本発明が対象とするネットワーク論理回線の状態監視モデルの接続構成図である。
【図１４】図１３における論理回線のデータ収集を示す説明図である。
【図１５】公開されていないキャリア網内の各端末ノード間の通信状況を示す中継接続図である。
【発明を実施するための形態】
【００２６】
以下、本発明の実施の形態について、図を参照しながら説明する。
【００２７】
図１は、本願発明の一実施形態におけるネットワークの監視方法を示す説明図（その１）であり、ネットワーク監視装置（ＮＭＳ）がノードより収集した情報内容を示す。
【００２８】
以下、キャリアが所有しているルータをネットワークエレメント（ＮＥ：Network Element）と呼び、拠点と他をつなぐルータを、他と区別するためにノード（ルータ）と呼ぶ。  この例では、ＮＭＳは、優先度１（代表）のノードにアクセスし、対向全ノードとの論理回線状態を取得する。その結果、ノード１、ノード６およびノード１１が選択されて、対向ノード（ノード１〜ノードＮ）との論理回線の監視結果を示す。○印は正常、×印は異常を示す。
【００２９】
図２は、本願発明の一実施形態におけるネットワークの監視方法を示す説明図（その２）であり、ノード１２と接続する論理回線の状態を評価ロジック１での評価を示す図である。
【００３０】
評価ロジック１は、優先度１のノードで収集した対向ノードの論理回線情報で、正常と異常が混在する場合(図２の例では、ノード１２の場合)、ＮＭＳよりそのノードに対し直接状態収集を行い、論理回線状態を収集する。
【００３１】
もしも、ＮＭＳとそのノードの論理回線が断で通信が不可の場合、他のノードを経由して該当ノードの論理回線状態の収集を行う。（図２の例では、ノード１２との論理回線状態が正常なノード１等を経由して状態収集を行う。)
その結果、ノード１２から対向ノード６、ノード７およびノード８との論理回線の監視で、異常が発見された状態を示す。
【００３２】
図３は、本願発明の一実施形態におけるネットワークの監視方法を示す説明図（その３）であり、ノード７と接続する論理回線の状態を評価ロジック２での評価を示す図である。  評価ロジック２は、優先度１のノードで収集した対向ノードの論理回線情報で、全て異常(断)となる場合(図３のノード７の場合)、そのノードまたはアクセス回線に障害が発生しており、接続する論理回線もまた全て異常(断)と判断する。図３の例では、ノード７は、ノード１、６、１１の情報収集で全て異常(断)となるため、ノード７に接続する全ての論理回線は異常(断)と判断する。
【００３３】
図４は、本願発明の一実施形態におけるネットワークの監視方法を示す説明図（その４）であり、他のノードと接続する論理回線の状態を評価ロジック３での評価を示す図である。
【００３４】
評価ロジック３は、優先度１のノードで収集した対向ノードの論理回線情報で、全て正常となる場合(図４のノード７，１２以外の場合)、その対向ノードに接続する論理回線は全て正常と判断する。図４の例では、ノード７、１２以外は、ノード１、６、１１の情報収集で全て正常となるため、接続する全ての論理回線は正常と判断する。
【００３５】
前述した評価ロジック１〜評価ロジック３を用いて、評価ロジック１→評価ロジック２→評価ロジック３の順で論理回線の状態を評価し、全論理回線の状態を判断する。
【００３６】
図５は、本発明の一実施形態における論理回線の状態監視のフローチャートであり、短期間繰り返し動作する部分（例えば、１０秒毎）で結果表示する実現手段である。
【００３７】
以下に、論理回線の状態監視の動作を図１〜図４を用いて説明する。
【００３８】
Ｓ１．物理ネットワーク構成に依存しない情報（発生警報件数）を元に論理的（後述の論理回線の品質レベルに合わせた優先度の設定方法）に優先度付けを行う。
【００３９】
初回は、優先度付けがないので、品質レベル３（５台単位）でグループを組みにその中の１台を優先度１と設定する。その結果、ノード１、ノード６およびノード１１が優先度１となった。
【００４０】
グループ内で順番に論理回線の状態監視を実施して行くと、初回は、５台グループであるが、長周期で見直しが入り、障害がないと１グループの台数が多いため、結果として周期が長くなり、障害があると１グループの数が少ないので周期が短くなる。
【００４１】
Ｓ２．優先度１の全てのノードより、全対向ノードの論理回線状態を取得する。その結果、図１に示す情報が得られた。即ち、ノード１、ノード６、ノード１１にアクセスして対向ノードの論理回線の監視を行ったところ、ノード７との論理回線状態が全て不良であり、ノード１２との論理回線状態が一部で不良であることを示している。
【００４２】
以下、全ノードを対象に以下の処理を実施する。即ち、図１に示す対応ノードの論理回線の監視（縦軸）からノード毎の状態を判定し、結果を判断して行く。
【００４３】
Ｓ３．前述のＳ２で収集した情報において、正常と異常が混在するか否かを判断する。（論理ロジック１）
Ｓ４．前述のＳ３にて、正常と異常が混在しない場合（ノード１２以外が該当）で、前述のＳ２で収集した状態が全て異常か否かを判断する。（論理ロジック２）
Ｓ５．前述のＳ４にて、全て異常ではない場合（ノード７，１２以外が該当）で、該当ノードに接続する全ての論理回線を正常と判断する。（論理ロジック３）
Ｓ６．前述のＳ４にて、全て異常の場合（ノード７が該当）で、該当ノードに接続する全ての論理回線を異常と判断する。
【００４４】
Ｓ７．前述のＳ３にて、正常と異常が混在する場合（ノード１２が該当）で、該当装置との論理回線が断か否かを判断する。
【００４５】
Ｓ８．前述のＳ７にて、断でない場合、直接該当ノードの論理回線状態を収集する。
【００４６】
Ｓ９．前述のＳ７にて、断である場合、他のノードを経由して該当ノードの論理回線状態を収集する。
【００４７】
以下、全ノードに対しての処理が終了すると、前述のＳ６とＳ７を障害として表示する。
【００４８】
以上、説明した論理回線の状態監視方法における課題として、優先度のつけ方によりアクセス対象とならなかったノード間の論理回線の障害について、検知することが難しい点が上げられる。本件の対応として、１時間に１回など長い間隔にて過去のノード間での論理回線障害回数を全ノードから収集し、品質レベルに合わせた優先度の設定を実施する。
【００４９】
図６は、本発明の一実施形態における論理回線の優先度設定方法を示す説明図（その１）であり、初期時の論理回線状態の監視を示す。
【００５０】
初期設定として、ランダムに抜き出したノードに対する優先度付けを行う。この例では、図１と同じく、ノード１、ノード６およびノード１１が選択されて、対向ノード（ノード１〜ノードＮ）との論理回線の監視結果を示す。○印は正常、×印は異常を示す。
【００５１】
図７は、本発明の一実施形態における論理回線の優先度設定方法を示す説明図（その２）であり、一回目の論理回線の障害回数収集結果を示す。
【００５２】
ＮＭＳは，短間隔でのアクセス対象を限定した論理回線の状態収集を行うのとは別に、長い間隔（１時間に１回）で全ノードから１時間当たりのノード間での論理回線の障害回数を収集し、以下の品質レベルの設定を行う。
【００５３】
品質レベル１は、今回周期のノード間での論理回線障害数が最低値であり、問題なしのノードであって、大規模（例えば１００台）単位にその中のノード１台について優先度１を設定する。
【００５４】
品質レベル２は、今回周期のノード間での論理回線障害数が閾値以下であり、前回周期のノード間での論理回線障害数に対し、今回周期のノード間での論理回線障害数が削減している改善中のノードであって、中規模（例えば５０台）単位に、その中のノード１台について優先度１を設定する。なお、閾値はネットワークレベルにより決定される。
【００５５】
品質レベル３は、今回周期のノード間での論理回線障害数が閾値以下である。前回周期のノード間での論理回線障害数に対し、今回周期のノード間での論理回線障害数が増加している悪化中のノードであって、小規模（例えば５台）単位に、その中のノード１台について優先度１を設定する。なお、閾値はネットワークレベルにより決定される。
【００５６】
品質レベル４は、今回周期のノード間での論理回線障害数が閾値以上であり、優先度１を設定する。なお、閾値はネットワークレベルにより決定される。
【００５７】
その結果、ノード７は品質レベル４、ノード４とノード１２とノード１４は品質レベル３、その他のノードは品質レベル１の設定を行い、新優先度によるアクセス箇所としてノード１、ノード４、ノード７・・・を決定する。
【００５８】
図８は、本発明の一実施形態における論理回線の優先度設定方法を示す説明図（その３）であり、一度収集を実施した後の設定を示す。
【００５９】
新優先度によるアクセス箇所の決定に基づき新たな論理回線の状態監視は、一回目の論理回線の障害回数収集結果に基づいて、各品質レベル中の１台について、優先度１を設定して論理回線の状態監視を行う。
【００６０】
図９は、本発明の一実施形態における論理回線の優先度設定方法を示す説明図（その４）であり、二回目の論理回線の障害回数集計結果を示す。
【００６１】
新たな論理回線の状態監視は、一度収集を実施した後の設定に基づいて、更なる新優先度によるアクセス箇所としてノード７、ノード４、ノード４０４、ノード５０５、ノード３・・を決定する。
【００６２】
図１０は、本発明の一実施形態における論理回線の優先度設定方法を示す説明図（その５）であり、二度収集を実施した後の設定を示す。
【００６３】
更なる新優先によるアクセス箇所の決定に基づき新たな論理回線の状態監視を行う。
【００６４】
図１１は、本発明の一実施形態における論理回線の優先度の設定方法のフローチャートであり、長期間繰り返し動作する部分（例えば、１時間毎）で結果表示する実現手段である。
【００６５】
以下に、論理回線の状態監視の動作を図６〜図１０を用いて説明する。
【００６６】
Ｓ１０．初回は、優先度付けがないので品質レベル３（５台単位）でグループの組に、その中の１台を優先度１とする。その結果、ノード１、ノード６およびノード１１が優先度１となった。
【００６７】
Ｓ１１．優先度１の全てのノードより、全対向ノードの論理回線障害回数を取得する。その結果、図７に示す障害回数が得られた。
【００６８】
以下、全ノードを対象に以下の処理を実施する。即ち、図７の対応ノードから収集した各ノードの障害回数をノード毎に収集し、障害回数を判定して結果を判断する。
【００６９】
Ｓ１２．障害回数が最低値（例えば、１０回以下）のものを選択する。
【００７０】
Ｓ１３．品質レベル１と判断し、品質レベル１のノードにより大規模（例えば１００台単位）でグループを組みなおす。
【００７１】
Ｓ１４．今回の障害回数が閾値（例えば１００回）以下であるが、前回の障害回数と比べて減少しているもの（改善中）を選択する。
【００７２】
Ｓ１５．品質レベル２と判断し、品質レベル２のノードにより中規模（例えば５０台単位）でグループを組みなおす。
【００７３】
Ｓ１６．今回の障害回数が閾値（例えば１００回）以下であり、前回の障害回数と比べて増加しているもの（悪化中）を選択する。
【００７４】
Ｓ１７．品質レベル３と判断し、品質レベル３のノードにより小規模（例えば５台単位）でグループを組みなおす。
【００７５】
Ｓ１８．障害回数が閾値（例えば１００回）以上のものを選択する。
【００７６】
Ｓ１９．品質レベル４と判断し、品質レベル４のノードにより例えば１台単位でグループを組みなおす。
【００７７】
Ｓ２０．以上の結果を元に、新しいグループで、短周期の情報収集で状態監視を実施する。
【産業上の利用可能性】
【００７８】
本発明は、非公開のキャリア網内の論理回線状態を、全てのノードにアクセスしなくても全論理回線の状態監視を可能にできるので、大規模プライベートネットワークを経由するノード間の通信が正常であるか否かの保守作業に利用できる。
【符号の説明】
【００７９】
１    ネットワーク監視システム（ＮＭＳ：Network Management System）
２    ネットワーク（キャリア網）
３１〜３Ｎ    ノード１〜ノードＮ
【図１】
2010258614.tif 000003
【図２】
2010258614.tif 000004
【図３】
2010258614.tif 000005
【図４】
2010258614.tif 000006
【図５】
2010258614.tif 000007
【図６】
2010258614.tif 000008
【図７】
2010258614.tif 000009
【図８】
2010258614.tif 000010
【図９】
2010258614.tif 000011
【図１０】
2010258614.tif 000012
【図１１】
2010258614.tif 000013
【図１２】
2010258614.tif 000014
【図１３】
2010258614.tif 000015
【図１４】
2010258614.tif 000016
【図１５】
2010258614.tif 000017